(57)【要約】      （修正有）【課題】介護者が要介護者の起立や歩行等の介助をするとき、要介護者がつかまって自分の体を支えられる事ができるように、対面している介護者側の着用している上着に要介護者が手で握ることのできる手摺を取り付けた上着を提供する。【解決手段】介護者が着用している上着に、要介護者がつかまることのできる手摺を取り付けた上着であって、上着に取り付けた手摺が目立つように、目立つ素材で作った手摺や、「つかまる」などの文字が入った手摺３を取り付けた。手摺に、手摺と一体につなぎ合わせて作った折り返せるフラップ４、５を取り付け、フラップの表側には、目立つ素材や色や文字を使用し要介護者が手摺を認識しやすい工夫をし、介助しないときはフラップを折り返して手摺の内側に隠せるようにした。【選択図】図３
0003235105.tif 000002
【実用新案登録請求の範囲】
【請求項１】
介護者が着用している上着に、要介護者がつかまることのできる手摺を取り付けた上着。
【請求項２】
上着に取り付けた手摺が目立つように、目立つ素材で作った手摺や、（つかまる）などの文字が入った手摺を取り付けた上着。
【請求項３】
手摺りに、手摺りと一体につなぎ合わせて作った折り返せるフラップを取り付け、フラップの表側には、目立つ素材や色や文字を使用し要介護者が手摺を認識しやすい工夫をし、介助しないときはフラップを折り返して手摺の内側に隠せるようにした要介護者がつかまることのできる手摺を取り付けた上着。
【考案の詳細な説明】
【技術分野】
【０００１】  本考案は、足腰などが不自由な身体障害者や要介護者の方々の起立する手助けのときや、立っている身体障害者や要介護者の歩行を支え介助するときに、身体障害者や要介護者が自分の体を支えるために、手でしっかりと捕まることのできる手摺のついた介護者が着用する上着に関するものである。
以後、足腰などが不自由な身体障害者や要介護者の方々のことをまとめて要介護者と表記し、その方々の手助けする方々を介護者と表記する。
【背景技術】
【０００２】  いままでは、足腰などが不自由な要介護者を立たせたり、立たせた要介護者の歩行を支え介助するときに、要介護者が自分の体を支えるために手でしっかりと捕まることのできる手摺のついた上着などが無かった為、介護者が足腰の不自由な要介護者を立たせて歩行の介助をするとき、要介護者が手でつかまろうとしても、しっかりとつかまるところが介護者側に無かった為、介護者が要介護者の手首か腕の辺りをつかんだだけで介護しているため、要介護者が不安定となり要介護者がふらついたりして、介護者の労力が大変であった。
【考案の概要】
【考案が解決しようとする課題】
【０００３】    介護者が要介護者の起立や歩行等の介助をするとき、要介護者がつかまって自分の体を支えられる事ができるように、対面している介護者側の着用している上着に要介護者が手で握ることのできる手摺などを設けることを課題とした。
【課題を解決するための手段】
【００４】  今回の考案は介護者が着用している上着に、要介護者がつかまることのできる手摺を取り付けて、要介護者に介護者が対面して起立や歩行や着席などの介助をするときに、要介護者が介護者の着用している上着に取り付けた手摺りを手でしっかりと握ることが出来るようにした。【００５】  介護者が着用する上着は、介護者が要介護者と対面して介助をする場合がほとんどのため、要介護者が取り付けた手摺につかまって自分のほうに方に力を加えて引っ張っても、介護者が着用している衣類が脱げないアイテムとして、ジャケット・シャツ・チョッキ等の  いずれも前開きの衣類か、Ｔシャツやポロシャツのように頭からかぶって着用する衣類に手摺を取り付ければ、要介護者が手摺を握って自分のほうに力を入れて引いても介護者が着用している衣類は脱げないため、より安心して要介護者の介助ができる。
今回はチョッキに手摺りを取り付けた図で説明をする。【００６】  図１は、チョッキの胸の辺りに手摺りを真横に、腰の辺りには斜めに手摺りを取り付けた実施例であるが、取り付ける手摺りは要介護者の状態により、つかまりやすい位置や形状や角度や大きさがいろいろと考えられる。
いろいろと試した結果、幅約５ＣＭで長さは約１０ｃｍの手摺を、胸の辺りには横方向に、腰に辺りには斜め方向に取り付けた状態が一般的な要介護者には握りやすいようである。
又  チョッキに物を入れるポケット等がついていても、要介護者がつかみやすいところに手摺をつければポケットがあっても問題がない。【００７】  手摺の代わりに、従来の衣類についているパッチポケットや箱ポケットや玉縁ポッケットでも代用はできるが、指を裏まで回して握ることが出来ないため、要介護者の介助には不安が残る。【００８】  図２は手摺りをチョッキの脇の辺りに縦につけた実施例をわかりやすくする為に、図１を横から見た図で、介護者が要介護者とフォークダンスのように横に並んで介助をしながら歩行するときに、介護者側にある要介護者の手で脇の辺りにつけた手摺りをしっかりと握ってもらい、もう片方の手で腰につけた手摺りを要介護者にしっかりと握ってもらい、握ってもらっている要介護者の両方の腕などを介護者がしっかりと支えれば、介護者と要介護者が一緒に横並びで安定して歩行することができる。【００９】  図３は要介護者が介護者の着用している衣類に取り付けた手摺を、見てすぐにわかりやすくするために、手摺りが目立つように『つかまる』と書いた素材を取り付けた手摺り付きのチョッキである。
手摺りが目立つようにするには、文字を入れたり、目立つ色の素材の手摺をつけたり、蛍光性のある素材を使用して手摺を取り付ければ、要介護者がつかまる場所を把握しやすくて効果がある。
又  手摺に手摺と同じ幅位の折り返しのできるフラップをつないだ二つ折りの手摺を取り付ければ、介助するときは要介護者が把握しやすい文字などが書いてある面を出して介助し、介助しないときはフラップを手摺の中に折り返し隠しておけば、普通のチョッキのように着用することが出来る。
又  手摺の代わりに、従来の衣類についているパッチポケットや箱ポケットや玉縁ポッケットにフラップをつけて、文字などが書いてある面を出して介助し、介助しないときはフラップをポケットの中に折り返し隠しておいても、不安が残るが同じような効果は得られる。【０１０】  チョッキにつける手摺の素材は、チョッキそれ自体の同じ生地でもよいが、チョッキそれ自体の同じ生地より少し硬い生地のほうが要介護者は握りやすい。
【考案の効果】
【０１１】    要介護者を介助して立たせたり一緒に歩行したりすると、要介護者は本能的に相対している介護者に手を出して介護者のどこかをつかまろうとするが、今まで介護者が着用していた衣服には要介護者がつかまろうとするものがなかったので、要介護者が不安定な状況のまま介護者が要介護者の手首や腕をつかんで立たせたり歩行したりしていた。
本考案の手摺り付き上着を介護者が着用して要介護者を介助して立たせたり一緒に歩行したりしようと介護者が要介護者に相対すると、要介護者の真正面にある介護者が着用している上着には手摺りがついているので、要介護者は本能的に自分から手摺りにつかまる場合が多いが、要介護者が自分からつかまらないときは、介護者が介護者の着用している上着の手摺りを要介護者にしっかりと握ってもらい、要介護者がしっかりと手摺りを握り占めている状態で介護者が要介護者の腕や手をつかんで行動するので、今までは介護者の手の一点でしか要介護者を支えていなかったのが、介護者の手と要介護者が手摺りを握りしめることにより二点で要介護を支えるようになるため、要介護者を安定して立たせたり座らせたり一緒に歩行させる事できるようになった。
又  折り返せるフラップのついた手摺りをつけた上着を着用すれば、要介護者を介護するときは要介護者が認識しやすい側のフラップを出した手摺りで介助をし、介助をしないときは目立たない側のフラップを出しておけば、同じ手摺り付き上着で、目立つ介護用として使う上着と、あまり目立たない手摺のついた普通の上着とに切り替えて着用できる。
【図面の簡単な説明】
【０１２】
【図１】本考案の実施例１  図１の本考案の実施例１について、図面を引用して説明する。図１の本考案の実施例１は、従来からあるチョッキ（１）の各所に手摺（２）を取り付けたものを正面から見た図で、チョッキ（１）と同じ素材で作った手摺り（２）を胸の辺りに二個  横並びに、腰の辺りに二個  斜めに取り付け、わきの辺りにも縦に手摺（２）をとりつけたものである。
【図２】図２は、図１の本考案の実施例１のチョッキ（１）を真横から見た図である。
【図３】本考案の実施例２  図３の本考案の実施例２は、チョッキ（１）に文字の入った手摺り（３）と  折り返せる文字の入ったフラップのついた二つ折りの手摺り（４）を取り付けたものである。又  参考のために  折り返せるフラップが手摺りの裏側に隠れて収まっている状態の二つ折りの手摺（５）を図３に表記した。
【符号の説明】
【０１３】１  チョッキ
２  手摺り
３  文字の入った手摺り
４  折り返せる文字の入ったフラップのついた二つ折りの手摺り
５  折り返せるフラップが手摺りの裏側に隠れて収まっている状態の二つ折りの手摺
【図１】
0003235105.tif 000003
【図２】
0003235105.tif 000004
【図３】
0003235105.tif 000005